(57)【特許請求の範囲】
【請求項１】
洗浄室内に配置された噴射ノズルから水を噴射することで食器類の洗浄及び濯ぎを行う食器洗浄機において、
前記洗浄室の下側に配置された機械室の隅部に立設された支柱間に補強メンバが架け渡され、前記補強メンバには、前記洗浄及び濯ぎを実行あらしめるための機能部品が固定されており、
前記機能部品は、前記機械室に配置された洗浄水タンクの側面に取り付けられたポンプであり、
前記補強メンバは、前記洗浄水タンク及び前記ポンプの側方の高さに配置されており、前記洗浄水タンクに取り付けられた側とは反対側の前記ポンプの一部に固定されていることを特徴とする食器洗浄機。
【請求項２】
前記ポンプは、前記機械室に配置された洗浄水タンクに給水管及び吐出管を差し込んでから、前記補強メンバにより固定されていることを特徴とする請求項１記載の食器洗浄機。
【請求項３】
前記ポンプは、前記機械室に配置された洗浄水タンクに給水管及び吐出管が連結された洗浄ポンプであることを特徴とする請求項１又は２記載の食器洗浄機。
【請求項４】
前記機能部品は、電気配線の接続部品であり、前記機械室を覆う着脱自在な外装パネルの内側に前記補強メンバが配置されたことを特徴とする請求項１〜３のいずれか一項記載の食器洗浄機。
【請求項５】
前記電気配線は、前記補強メンバと前記外装パネルとの間で前記補強メンバの外側面に沿って延設されていることを特徴とする請求項４記載の食器洗浄機。
【発明の詳細な説明】
【技術分野】
【０００１】
本発明は、皿や茶碗等の食器類の洗浄及び濯ぎを行う食器洗浄機に関する。
【背景技術】
【０００２】
従来におけるこの種の食器洗浄機として、例えば、特許文献１〜３に記載された食器洗浄機がある。この特許文献１記載の食器洗浄機においては、機械室の四隅のそれぞれに支柱が設けられており、支柱間にパネルが取り付けられる。また、板状の補強メンバを支柱間に架設することで、食器洗浄機下部の剛性が高められている。
【０００３】
また、特許文献２に記載された食器洗浄機においては、食器洗浄機本体から別置きされた給湯器までの配線接続の様子が示されている。また、特許文献３に記載された食器洗浄機においては、濯ぎポンプが濯ぎ水タンクの側面に取り付けられた様子が示されている。
【特許文献１】特開２００５−３４４４７号公報
【特許文献２】特開２００３−１９１０１号公報
【特許文献３】特開２００５−３４３７６号公報
【発明の開示】
【発明が解決しようとする課題】
【０００４】
上記の特許文献１には、既述のとおり支柱間に架設された補強メンバが示されている。この補強メンバは、食器洗浄機を構造的に補強するのみであるが、機械室内の部品と何らかの関連をもたせることで、コスト低減などに繋げる要求があった。
【０００５】
そこで、本発明は、強度アップを図りつつ、コスト低減を可能にした食器洗浄機を提供することを目的とする。
【課題を解決するための手段】
【０００６】
上述した目的を達成するために、本発明は、洗浄室内に配置された噴射ノズルから水を噴射することで食器類の洗浄及び濯ぎを行う食器洗浄機において、洗浄室の下側に配置された機械室の隅部に立設された支柱間に補強メンバが架け渡され、補強メンバには、洗浄及び濯ぎを実行あらしめるための機能部品が固定されていることを特徴とする。
【０００７】
この構成によれば、支柱間に架け渡された補強メンバが、食器洗浄機を構造的に補強するだけではなく、食器洗浄機の洗浄又は濯ぎを実行あらしめるための機能部品を固定するために用いられるため、補強メンバを有効利用することができる。
【０００８】
また、上述した食器洗浄機において、機能部品は電気配線の接続部品であり、機械室を覆う着脱自在な外装パネルの内側に補強メンバが配置されることが好ましい。この構成によれば、支柱間に架け渡された補強メンバが、食器洗浄機を構造的に補強するだけではなく、電気配線の接続部品を固定するために用いられている。特に、ユーザは、機械室を覆う外装パネルを取り外すことで、補強メンバに固定された電気配線の接続部品に電気配線を接続することができる。
【０００９】
また、上述した食器洗浄機において、電気配線は、補強メンバと外装パネルとの間で補強メンバの外側面に沿って延設されていることが好ましい。このように、補強メンバの外側面に沿って延設された電気配線は、補強メンバの内側に配置された部品（例えば、洗浄ポンプ、濯ぎポンプなど）から発生する電気ノイズの影響を受け難くなる。
【００１０】
また、上述した食器洗浄機において、機能部品は、機械室に配置された洗浄水タンクに給水管及び吐出管が連結された洗浄ポンプであることが好ましい。この構成によれば、支柱間に架け渡された補強メンバが、食器洗浄機を構造的に補強するだけではなく、洗浄タンクに連結された洗浄ポンプを固定するために用いられている。よって、洗浄ポンプを強固に固定して振動を抑制するとともに、食器洗浄機本体の強度を高めることができる。
【発明の効果】
【００１１】
本発明は、強度アップを図りつつ、コストの低減を図ることができる。
【発明を実施するための最良の形態】
【００１２】
以下、図面を参照しつつ本発明に係る食器洗浄機の好適な実施形態について詳細に説明する。
【００１３】
図１及び図２に示すように、食器洗浄機１は、ステンレス製の洗浄機本体２を有している。この洗浄機本体２は、洗浄室３が形成された上側部分２ａと、機械室４（図３参照）が形成された下側部分２ｂとに仕切られている。さらに、洗浄機本体２の背面側における隅部には、上側部分２ａと下側部分２ｂとに渡って上下方向に延びる２本の支柱６，６が配置され、支柱６，６間には背面パネル５が延在している。
【００１４】
また、洗浄機本体２の上側部分２ａには、洗浄室３の開閉を行うための箱型のドア７が設けられている。このドア７は、左右一対のステンレス製支柱６，６よりも内側に配置された左右一対のガイドレール（図示せず）により上下方向に案内されると共に、前方において水平方向に延在するハンドル８によって上下動させることができる。このハンドル８の両端には左右一対の回動アーム１０，１０の先端が固定され、各回動アーム１０はドア７の側面７ａに沿って斜めに配置されている。そして、ハンドル８の回動運動に対してドア７を上下運動させるために、回動アーム１０には、ドア７の側面７ａに沿って配置されたリンク部１６の上端が回動自在に連結され、リンク部１６の下端は軸ピン１６ａを介してドア７に連結されている。なお、洗浄機本体２の底面の四隅には脚部９が取り付けられており、食器洗浄機１の安定した設置が可能となっている。
【００１５】
上述した洗浄室３内には、跳ね上げ式のラックレール１１が着脱自在に配置されており、このラックレール１１上に、飲食後の食器類が並べられた格子状の食器ラック（図示せず）が載置される。更に、洗浄室３内の上部には、放射状に延びる３本のアームを有する回転自在な上側洗浄ノズル１２と、一直線状に延びる２本のアームを有する回転自在な上側濯ぎノズル１３とが同心的に配置されている。同様に、洗浄室３内の下部には、回転自在な下側洗浄ノズル１４と下側濯ぎノズル１５とが同心的に配置されている。
【００１６】
次に、図３に示すように、機械室４は、洗浄機本体２の下側部分２ｂの前面、左面及び右面のそれぞれに配置されたステンレス製の外装パネルＰ２（図１参照）により覆われており、各外装パネルＰ２は、洗浄機本体２に対して着脱自在となっている。図３には、前面及び右面を覆う外装パネルが取り外された様子が示されている。機械室４の背面側は既述の支柱６，６により支持される一方で、機械室４の前面側は前面側隅部に立設された２本の支柱２８，２８により支持されている。なお、図３では、機械室４内の機能部品を説明する便宜上、前面右側の隅部に立設された支柱２８の一部が切断されて示されている。
【００１７】
図３に示すように、機械室４には、洗浄室３側から洗浄水タンク１７が突出して設けられている。この洗浄水タンク１７の前面には、洗浄水供給ポンプ（以下「洗浄ポンプ」という）１９が設けられている。この洗浄ポンプ１９は洗浄水流通管２１（図２参照）に接続され、この洗浄水流通管２１は洗浄水タンク１７内及び洗浄室３内を通って上側洗浄ノズル１２と下側洗浄ノズル１４とに接続されている。そして、洗浄ポンプ１９は、機械室４の内部に配置された、洗浄及び濯ぎを実行あらしめるための機能部品である。
【００１８】
更に、機械室４内には、外部のブースター（不図示）から濯ぎ水が供給される濯ぎ水タンクが収容されており、この濯ぎ水タンクには濯ぎ水供給ポンプ（以下「濯ぎポンプ」という）２４が接続されている。なお、濯ぎ水タンクは、機械室４の左奥にあり、図３では見えない位置にある。濯ぎポンプ２４は濯ぎ水流通管２７（図２参照）に接続され、この濯ぎ水流通管２７は洗浄水タンク１７内及び洗浄室３内を通って上側濯ぎノズル１３と下側濯ぎノズル１５とに接続されている。
【００１９】
また、機械室４において、洗浄水タンク１７の下方にはコントロールボックス３０が配置されている。コントロールボックス３０は、機械室４内で前後方向に延びるように配置されると共に、洗浄機本体２の底板Ｐ１に固定されている。コントロールボックス３０の内部には、食器洗浄機１による食器類の洗浄及び濯ぎ動作を制御するための制御部品が収容されている。
【００２０】
また、機械室４において、底板Ｐ１上の前側の外装パネルＰ２（図１参照）に近接した位置には、洗剤供給装置３５が固定されている。洗剤供給装置３５は、液状又は粉状の洗剤を蓄えており、コントロールボックス３０内の制御部品からの指令に応じて洗浄水に洗剤を供給する。なお、洗剤供給装置３５は、食器洗浄機１の標準仕様タイプであるが、食器洗浄機１には、標準仕様でない洗剤供給装置を取り付けることも可能である。また、図示されていないが、機械室４の底板Ｐ１上には、濯ぎ水にリンス剤を供給するリンス剤供給装置を取り付けることも可能である。
【００２１】
また、既述のとおり、食器洗浄機１の外部には、食器洗浄機１に温水を供給するためのブースター（温水器、不図示）が設置されている。ブースターは、電気を利用して水を所望の温度に温めてから濯ぎ水タンクに供給する。ブースターは電気配線を介してコントロールボックス３０の制御部品に接続されており、制御部品との間で温度、水位、運転タイミング、エラー等の情報のやり取りを行う。なお、ブースターには、可燃ガスを燃焼させて水を所望の温度に温めてから食器洗浄機１に供給するタイプもある。
【００２２】
次に、図４を参照して、前面側の支柱２８，２８間に架け渡される補強メンバ４０について説明する。図４には、機械室４の前面側の支柱２８，２８間に、補強メンバ４０が取り付けられる前の様子が示されている。図示されるように、補強メンバ４０は、水平方向を長手方向とした梁状の部材である。この補強メンバ４０は、一枚の鋼板を略帯状に切断してから、その鋼板の縁部を折り曲げ加工して形成される。補強メンバ４０において左右の端部４０ａには、支柱２８に形成されたネジ穴２８ａに、固定用ボルト４１を挿通するためのボルト穴４０ｂが形成されている。また、補強メンバ４０の下側の端部４０ｃはＵ字状に折り曲げられており、補強メンバ４０の長手方向に沿って延びる樋部４０ｃが形成されている。また、補強メンバ４０において中央部位は平板部４０ｄとなっており、この平板部４０ｄの右側部位には、洗浄ポンプ１９に形成されたネジ穴１９ａに、固定用ボルト４２を挿通するための貫通穴４０ｅが形成されている。一方、平板部４０ｄの左側部位には、コネクタ類等からなる接続部品４３が複数固定されている。
【００２３】
図５には、機械室４の前面側の支柱２８，２８間に、補強メンバ４０が取り付けられた後の様子が示されている。補強メンバ４０の左右の端部４０ａは、支柱２８に形成されたネジ穴２８ａに４本の固定用ボルト４１が螺着され、補強メンバ４０は支柱２８に強固に固定される。一方、補強メンバ４０の平板部４０ｄの貫通穴４０ｅに差し込まれた２本の固定用ボルト４２が洗浄ポンプ１９に形成されたネジ穴１９ａに螺着されることで、洗浄ポンプ１９が補強メンバ４０に強固に固定される。
【００２４】
図６には、洗浄ポンプ１９が洗浄水タンク１７及び補強メンバ４０により支持される様子が示されている。図６では、洗浄ポンプ１９、洗浄水タンク１７及び補強メンバ４０を右側から見ている。洗浄水タンク１７の側面から突出した２本の管部１８Ａ，１８Ｂのそれぞれに、洗浄ポンプ１９の下側部位から洗浄水タンク１７に向けて突出した給水管２０Ａと吐出管２０Ｂとが差し込まれている。このように洗浄水タンク１７と洗浄ポンプ１９の接続部が二重管構造となって連結されることにより、洗浄水タンク１７は、洗浄ポンプ１９をある程度安定した状態で支持する。また、既述のとおり、洗浄ポンプ１９の前面側の上側部位が補強メンバ４０にボルト４２によって固定される。このように洗浄ポンプ１９が洗浄水タンク１７及び補強メンバ４０に固定されて支持されることにより、洗浄ポンプ１９は機械室４内に安定した状態で設置され、運転時には洗浄ポンプ１９の振動が抑制される。なお、補強メンバ４０において、複数の接続部品４３が固定された平板部４０ｄの左側部位には、カバー４４が上から被せられ、ネジ４５によって取り付けられている。カバー４４の前側部分４４ａは、補強メンバ４０の前面開口を覆っている。一方、カバー４４の後側部分４４ｂは、補強メンバ４０に対して隙間をもって配置されており、補強メンバ４０の裏面側に突出する接続部品４３を覆っている。このようなカバー４４を設けることにより、接続部品４３付近の防水性及び防塵性を向上することができる。
【００２５】
仮に、洗浄ポンプ１９を補強メンバ４０に固定することなく、洗浄ポンプ１９を洗浄水タンク１７に固定するのみである場合には、洗浄ポンプ１９が外力を受けると洗浄ポンプ１９は洗浄水タンク１７から外れてしまうので、洗浄ポンプ１９を洗浄水タンク１７に確実に固定するためにバンドやステーなどの専用の固定用部品が必要となる。このような専用の固定用部品は、洗浄ポンプ１９を固定するという単一の役割しか持たず、コストアップの要因となる。また、食器洗浄機１の製造時には、専用の固定用部品を用いて洗浄ポンプ１９を固定する工程と、補強メンバ４０を支柱２８間に固定する工程とは別工程となるため、組み付け工数が多くなる。
【００２６】
これに対して、上述した実施形態のように、洗浄ポンプ１９を補強メンバ４０及び洗浄水タンク１７に固定した場合には、支柱２８間に架け渡された補強メンバ４０は、食器洗浄機１を構造的に補強するだけではなく、洗浄水タンク１７に取り付けられた洗浄ポンプ１９を固定するために用いられている。よって、部品点数を増加させることなく、機械室４内において洗浄ポンプ１９を強固に固定することを可能としている。また、食器洗浄機１の製造時や設置時には、洗浄ポンプ１９の給水管２０Ａと吐出管２０Ｂを洗浄水タンク１７の管部１８Ａ，１８Ｂに差し込んでから、補強メンバ４０を支柱２８と洗浄ポンプ１９に固定するのみであるため、組み付け工数を少なくすることができる。
【００２７】
また、支柱２８，２８間に補強メンバ４０を配置することで洗浄機本体２の強度が高められるうえに、洗浄水タンク１７、洗浄ポンプ１９及び補強メンバ４０が互いに固定されることによっても洗浄機本体２の強度を大幅に高めることができる。これにより、食器洗浄機１を構造的に支持する構造部品（支柱２８、補強メンバ４０等）を構成する板材の厚さを薄くでき、構造部品の曲げ加工を容易にしたり、食器洗浄機１の構造を補強するための溶接部位を少なくすることが可能となり、コスト低減にも寄与する。なお、上述した実施形態では、洗浄ポンプ１９を補強メンバ４０にボルト固定したが、濯ぎポンプ（機能部品）２４を補強メンバ４０に固定してもよい。
【００２８】
次に、図７を参照して、補強メンバ４０に固定された、電気配線Ｌを接続するための接続部品（機能部品）４３Ａ，４３Ｂ，４３Ｃ，４３Ｄについて説明する。既述したとおり、補強メンバ４０の平板部４０ｄの左側部位には、食器洗浄機１の機能部品の電気配線Ｌを接続するための接続部品４３Ａ〜４３Ｄが複数固定されている。ここで、符号４３Ａで示される接続部品は、ブースターの制御用信号線を接続するためのコネクタである。また、符号４３Ｂで示される接続部品は、ブースターに電力を供給するための１００Ｖ電源コンセントである。また、符号４３Ｃで示される接続部品は、標準仕様の洗剤供給装置３５の電源供給線及び制御用信号線を接続するためのコネクタである。また、符号４３Ｄで示される接続部品は、標準仕様でない洗剤供給装置の電源供給線及び制御用信号線を接続するための端子台である。これらの接続部品４３Ａ〜４３Ｄは、補強メンバ４０の平板部４０ｄの左側部位にまとめて固定されており、作業者にとって取り扱い易くなっている。
【００２９】
仮に、電気配線Ｌの接続部品４３Ａ〜４３Ｄを補強メンバ４０に固定することなく、電気配線Ｌの接続作業を行う場合には、電気配線Ｌの接続作業を完了するために多くの工数を要してしまう。具体的には、作業者は先ず、フロントパネルＰ２を外してから、コントロールボックス３０を手前側に引き出し、コントロールボックス３０の天蓋３３を外す。そして、作業者は、コントロールボックス３０の中にある電気配線Ｌ接続用のコネクタや端子台などに電気配線Ｌの一端を接続し、コントロールボックス３０から電気配線Ｌを引き出して、この電気配線Ｌの他端をブースター、洗剤供給装置３５、リンス剤供給装置などのコネクタや端子台などに接続する。さらに、作業者は、コントロールボックス３０の天蓋３３を再び取り付けてから、コントロールボックス３０を機械室４内に押し込み、フロントパネルＰ２を取り付ける。また、これらの作業に伴い、多数のボルト及びネジを緩めたり締め付ける作業が必要となる。
【００３０】
これに対して、上述したように電気配線Ｌの接続部品４３Ａ〜４３Ｄが補強メンバ４０に固定されているので、食器洗浄機１の製造時や設置時などに、コントロールボックス３０から引き出された電気配線Ｌを、接続部品４３Ａ〜４３Ｄに容易に接続することができる。このため、作業者が電気配線Ｌの接続作業を行う場合には、作業者はフロントパネルを外してから、正面の取り扱いやすい位置に露出された接続部品４３Ａ〜４３Ｄに、ブースター、洗剤供給装置３５、リンス剤供給装置などから引き出された電気配線Ｌを接続すればよい。よって、作業者は、電気配線Ｌを接続部品４３Ａ〜４３Ｄの配線作業を容易に且つ迅速に行うことができる。
【００３１】
また、電気配線３６Ａが接続部品４３Ａ〜４３Ｄに予め接続されている場合には、コントロールボックス３０を機械室４から引き出したり、コントロールボックス３０の天蓋３３を取り外すなどの作業を行う必要がなくなるため、それらの作業に起因して発生する不具合を未然に防止することができる。例えば、コントロールボックス３０の収納ミスやネジの締め忘れなどを防止することができる。また、電気配線Ｌの接続部品４３Ａ〜４３Ｄは、接続部品４３Ａ〜４３Ｄを固定するために特別に用意された部品に取り付けられるのではなく、食器洗浄機１を構造的に補強するための補強メンバ４０に取り付けられるので、部品点数は増加せず、コスト的にも好ましい。
【００３２】
続いて図７を参照して、コントロールボックス３０と洗剤供給装置３５との間の電気配線３６Ａ，３６Ｂの延設状態について説明する。図７には、１本の電気配線３６Ａが、コントロールボックス３０から引き出されてコネクタ４３Ｃまで延び、もう１本の電気配線３６Ｂが、洗剤供給装置３５から引き出されてコネクタ４３Ｃまで延びる様子が示されている。以下、これらの電気配線３６Ａ，３６Ｂについて、より詳しく説明する。
【００３３】
コントロールボックス３０の側面には、コントロールボックス３０の内部から外部まで貫通する挿通口３１，３２が２つ設けられており、コントロールボックス３０内の制御部品に接続された電気配線３６Ａが一方の挿通口３１から引き出されている。電気配線３６Ａは、挿通口３１から右前の支柱２８付近まで前方に延びてから、右前の支柱２８に沿って上方に延びて補強メンバ４０に至る。補強メンバ４０の右端付近には、補強メンバ４０の平板部４０ｄを貫通した通し穴４０ｆが設けられており、電気配線３６Ａは通し穴４０ｆに通されて補強メンバ４０の裏側から表側に引き出される。そして、電気配線３６Ａは、補強メンバ４０の下端に形成された樋部４０ｃに沿って延びる。補強メンバ４０のコネクタ４３Ｃの下側には補強メンバ４０の平板部４０ｄを貫通した通し穴４０ｇが設けられており、電気配線３６Ａは通し穴４０ｇに通されて補強メンバ４０の表側から裏側に引き出され、コネクタ４３Ｃの裏側の端子部に接続される。
【００３４】
一方、洗剤供給装置３５から延びる電気配線３６Ｂは、洗剤供給装置３５から左前の支柱２８付近まで延びてから、左前の支柱２８に沿って上方に延びて補強メンバ４０に至る。そして、電気配線３６Ｂは通し穴４０ｇに通されて補強メンバ４０の裏側から表側に引き出され、コネクタ４３Ｃの表側の端子部に接続される。このようにして、コントロールボックス３０と洗剤供給装置３５とがコネクタ４３Ｃを介して２本の電気配線３６Ａ，３６Ｂにより接続される。
【００３５】
コントロールボックス３０と洗剤供給装置３５とを接続する電気配線３６Ａ，３６Ｂには、ＤＣ１２Ｖ又は２４Ｖ程度の電圧差が比較的に小さなオンオフ信号が伝達されるため、容量の小さな弱電ラインを使用している。よって、洗浄又は濯ぎ動作時には、電気配線３６Ａ，３６Ｂを介して伝達されるオンオフ信号は、洗浄ポンプ１９又は濯ぎポンプ２４による影響を受けて電気ノイズが発生しやすい。これに対して、上述したように電気配線３６Ａ，３６Ｂを、補強メンバ４０と外装パネルＰ２との間で補強メンバ４０の樋部４０ｃに沿って延設することにより、平板部４０ｄが防壁となるため、洗浄ポンプ１９又は濯ぎポンプ２４による影響を受けづらくなり、オンオフ信号に電気ノイズが発生することを未然に防止することができる。
【００３６】
次に、図８を参照して、コントロールボックス３０とブースターとの間の電気配線３７Ａ，３７Ｂの延設状態について説明する。図８には、１本の電気配線３７Ａが、コントロールボックス３０から引き出されてコネクタ４３Ａまで延び、もう１本の電気配線３７Ｂが、ブースター（不図示）から引き出されてコネクタ４３Ａまで延びる様子が示されている。以下、これらの電気配線３７Ａ，３７Ｂについて、より詳しく説明する。
【００３７】
コントロールボックス３０内の制御部品に接続された電気配線３７Ａが一方の挿通口３２から引き出されている。電気配線３７Ａは、挿通口３２から右前の支柱２８付近まで前方に延びてから、右前の支柱２８に沿って上方に延びて補強メンバ４０に至る。そして、電気配線３７Ａは補強メンバ４０の裏面に沿って左方に延びて、コネクタ４３Ａの裏側の端子部に接続される。
【００３８】
一方、ブースターから延びる電気配線３７Ｂは、機械室４の底板Ｐ１に形成された通し穴（不図示）から機械室４内部に通され、左前の支柱２８に沿って上昇して補強メンバ４０に至ると、補強メンバ４０に形成された通し穴４０ｈの裏側から表側に引き出され、コネクタ４３Ａの表側の端子部に接続される。このようにして、コントロールボックス３０とブースターとが電気配線３７Ａ，３７Ｂにより接続される。
【００３９】
コントロールボックス３０とブースターとの間の電気配線３７Ａ，３７Ｂには、ＡＣ２００Ｖの電圧差が比較的に大きな信号が伝達されるため、容量の大きな強電ラインを使用している。よって、電気配線３７Ａ，３７Ｂを介して伝達される信号は、洗浄ポンプ１９又は濯ぎポンプ２４によるノイズの影響をほとんど受けないため、上述したように電気配線３７Ａ，３７Ｂを補強メンバ４０の裏側に延設している。
【００４０】
上述した実施形態では、補強メンバ４０に機能部品として洗浄ポンプ１９及び接続部品４３Ａ〜Ｄを固定したが、補強メンバ４０に他の機能部品を固定してもよい。
【図面の簡単な説明】
【００４１】
【図１】本発明の実施形態に係る食器洗浄機の外観を示す斜視図である。
【図２】食器洗浄機を洗浄室の内部を示す断面図である。
【図３】食器洗浄機の機械室の内部を示す斜視図である。
【図４】支柱に補強メンバを取り付ける様子を示す斜視図である。
【図５】支柱に補強メンバを取り付けた様子を示す斜視図である。
【図６】洗浄水タンク、洗浄ポンプ及び補強メンバの配置関係を示す側面図である。
【図７】機械室内で延設された配線を示す斜視図である。
【図８】機械室内で延設された配線を示す斜視図である。
【符号の説明】
【００４２】
１…食器洗浄機、３…洗浄室、４…機械室、１２…上側洗浄ノズル、１３…上側濯ぎノズル、１４…下側洗浄ノズル、１５…下側濯ぎノズル、１７…洗浄水タンク、１９…洗浄ポンプ（機能部品）、２０Ａ…給水管、２０Ｂ…吐出管、２４…濯ぎ水供給ポンプ、２８…支柱、３５…洗剤供給装置、４０…補強メンバ、４３Ａ〜４３Ｄ…接続部品（機能部品）、Ｌ…電気配線、Ｐ２…外装パネル。
【図１】
0004746957.tif 000002
【図２】
0004746957.tif 000003
【図３】
0004746957.tif 000004
【図４】
0004746957.tif 000005
【図５】
0004746957.tif 000006
【図６】
0004746957.tif 000007
【図７】
0004746957.tif 000008
【図８】
0004746957.tif 000009